(57)【特許請求の範囲】
【請求項１】
支持歯に固定される取付体の前面に並設した一対のチューブに、矯正用ワイヤの２本の脚片を各々嵌挿させて、該ワイヤを固定するようにした歯列矯正装置において、前記取付体の各チューブ下端部にはその貫通孔に至る切欠溝を設け、前記矯正用ワイヤの両脚片の前側下部には係止溝を夫々設けると共に、両脚片間には、その左右両側部に係止部を夫々形成したロックバネの中央部を回動可能に軸着してあり、チューブ内に脚片を嵌挿した場合、前記ロックバネの各係止部を切欠溝内に位置する脚片の係止溝に夫々係合させて、矯正用ワイヤを取付体に固定し得るようにしてなることを特徴とする歯列矯正用ワイヤロック装置。
【請求項２】
支持歯に固定される取付体の前面に並設した一対のチューブに、矯正用ワイヤの２本の脚片を各々嵌挿して、該ワイヤを固定するようにした歯列矯正装置において、前記取付体の各チューブの下端部にはその貫通孔に至る切欠溝を設け、両チューブ間の上面には、凵状に屈曲形成したスライド部とその上端部を左右両側に屈曲して前記切欠溝内に嵌入し得る係止部を夫々延成し且つ一方の係止部の内側には前記貫通孔より広幅の切欠溝部を設けたロック板を、両チューブ間に設けた押え板の中央部に突出している支持片で両チューブ間をスライド可能に保持してある共に、前記ロック板は、そのスライド部の一側部が一方のチューブに当たると、両係止部の外側端部が貫通孔内に夫々位置し、該スライド部の他側部が他方のチューブに当たると、両係止部が夫々貫通孔内より離脱するようにしてあり、前記矯正用ワイヤの両脚片の前側下部には  係止溝を夫々設けてあり、チューブ内に脚片を嵌挿した場合、前記ロック板の両係止部を切欠溝内に位置する脚片の係止溝に夫々係合させて、矯正用ワイヤを取付体に固定し得るようにしてなることを特徴とする歯列矯正用ワイヤロック装置。
【発明の詳細な説明】
【０００１】
【産業上の技術分野】
本発明は、歯列矯正装置、特に支持歯に固定された取付体にアーチワイヤ、パラタルバー等の歯列矯正用ワイヤを固定するためのロック装置に関するものである。
【０００２】
【従来の技術】
従来、歯列矯正用ワイヤ、特にアーチワイヤを用いて歯列矯正を行う場合には、支持歯となる臼歯に嵌装されたバンドの表面に、円筒形状のチューブを並設した取付体を固着し、該チューブにアーチワイヤの両脚片を夫々嵌挿させることによってアーチワイヤを固定させている。
【０００３】
【発明が解決しようとする課題】
しかし、上記従来のロック装置は、治療作業中にチューブから脚片が抜け易い欠点があり実用に供し得なかった。
本発明は、上記難点に鑑み、取付体に歯列矯正用ワイヤを容易且つ確実に固定できると共に、繰り返し使用にも耐え得る強度を有するロック装置を提供しようとするものである。
【０００４】
【課題を解決するための手段】
本発明においては、上記目的を達成するために、支持歯に固定される取付体の一対のチューブに、矯正用ワイヤの２本の脚片を各々嵌挿させて、該ワイヤを固定するようにした歯列矯正装置において、前記取付体の各チューブ下端部にはその貫通孔に至る切欠溝を設け、前記矯正用ワイヤの両脚片の前側下部には係止溝を夫々設けると共に、両脚片間には、その左右両側部に係止部を夫々形成したロックバネの中央部を回動可能に軸着してあり、チューブ内に脚片を嵌挿した場合、前記ロックバネの各係止部を切欠溝内に位置する脚片の係止溝に夫々係合させて、矯正用ワイヤを取付体に固定し得るように構成してある。
【０００５】
また、前記取付体の両チューブ間上面に、その左右両端部に前記切欠溝に嵌入し得る係止部を夫々設けたロック板をスライド可能に付設して、チューブ内に脚片を嵌挿した場合、ロック板の係止部を切欠溝内に位置する脚片の係止溝に夫々係合させて、矯正用ワイヤを取付体に固定し得るように構成する場合もある。
【０００６】
【発明の実施の形態】
【実施例１】
以下添付図面を参照して本発明の実施例を説明する。
図１乃至図４において、１０はアーチワイヤであって、その一端部近くに四角形状の脚片１１、１１を、所定間隔をおいてアーチワイヤと直角向きに並設すると共に、各脚片１１の先端部一側には係止溝１２、１２を夫々設けてある。
【０００７】
１３は弾力を有する線材で形成したロックバネであって、その中央部１４をＵ状に屈曲すると共に、両端部をやや折り返して係止部１５、１５を夫々形成してある。
１６は上記アーチワイヤ１０の両脚片１１、１１間に付設した弾力を有する挟持片であって、前記ロックバネ１３の中央部１４を回動可能に挟持させてあり、前記ロックバネ１３を起伏させることにより、両係止部１５、１５が前記各係止溝１２、１２内に夫々係脱し得るようにしてある。
【０００８】
２０は取付体であって、その前面には、チューブ２１、２１を前記脚片１１、１１と同一の間隔をおいて一体に並設してあり、各チューブ２１、２１の内側には縦向きで四角形状の貫通孔２３を夫々形成してある。また、各チューブ２１、２１の前側下部には、上記脚片１１、１１を嵌入した際その係止溝１２、１２に対応する位置に、貫通孔２３に至る横方向の切欠溝２５、２５を夫々形成してある。而して、ロックバネ１３の係止部１５は切欠溝２５に嵌入し、係止溝１２に係合するようになっている。
【０００９】
本実施例において、アーチワイヤ１０の両脚片１１、１１をチューブ２１、２１に夫々嵌挿する場合には、先ず、挟持片１６で弾力的に支持されているロックバネ１３を回動し、その各係止部１５を係止溝１２から離脱させておく。
而して、アーチワイヤ１０の両脚片１１、１１をチューブ２１、２１に夫々嵌入した後、ロックバネ１３を回動させて、各係止部１５をチューブの切欠溝２５に嵌合すると、各脚片１１の係止溝１２にロックバネの係止部１５が係合するので、アーチワイヤ１０は取付体２０に確実にロックされる。
而して、脚片１１、１１の抜き取り時は、ロックバネ１３をピン先でその弾力に抗して回動させると、係止部１５が係止溝１２より離脱するので、アーチワイヤ１０を取付体２０から容易に抜き取ることが出来る。
【００１０】
【実施例２】
本実施例においては、図５乃至図８に示すように、アーチワイヤ１０は、両脚片１１、１１の各先端部に係止溝１２、１２を夫々設けてある。
また、取付体３０には、各チューブ３１、３１の下側部に、その貫通孔３２に達する横方向の切欠溝３３、３３を夫々設けてある。
【００１１】
４０は前記チューブ３１、３１間の取付体３０上面に付設したロック板であって、凵状に屈曲形成したスライド部４１と、その上端部を左右両側に屈曲延成した係止部４２、４３とからなっている。
上記スライド部４１は、前記取付体３２のチューブ３１、３１間に設けられた押え板５０の前側中央部に突出している支持片５１で支持され、チューブ間を左右方向に摺動可能に保持されている。
上記係止部４２、４３は、チューブの切欠溝３３、３３内に夫々嵌入していると共に、一方の係止部４３の内側には、前記チューブの貫通孔３２の径よりやや広幅の切欠溝部４４を設けてある。
【００１２】
而して、前記ロック板４０のスライド部４１は、その左側部４５が左側チューブ３１の外側面に当たるまで移動させると、両係止部４２、４３の外側端部が貫通孔３２内に夫々位置するようにしてあり、また、スライド部４１の右側部４６が右側チューブ３１の外側面に当たるまで移動させると、左側係止部４２の外側端部は左側チューブの貫通孔３２内より離脱する。而して、右側係止部４３の外側端部も右側チューブの貫通孔３２内より離脱し、その切欠溝部４４が貫通孔３２内に位置し得るようにしてある。
【００１３】
而して、本実施例においては、両チューブ３１、３１にアーチワイヤ１０の両脚片を１１、１１を夫々嵌挿した後、ロック板４１をスライドさせて、その左側部４５が左側チューブ３１の外側面に当たると、両係止部４２、４３の外側端部がアーチワイヤ１０の係止溝１２、１２に同時に係合するので、アーチワイヤ１０は取付体３０に確実にロックされる。
【００１４】
また、脚片１１，１１を抜き取り時は、ロック板４１を右側にスライドさせて、その右側部４６が右側チューブ３１の外側面に当たると、両係止部４２、４３の外側端部がアーチワイヤ１０の係止溝１２より同時に離脱するので、アーチワイヤ１０を取付体３０から容易に抜き取ることが出来る。
【００１５】
上記各実施例は何れも歯列矯正用ワイヤとしてアーチワイヤを使用した例について説明したが、パラタルバー等の他の矯正用ワイヤを使用する場合にも本ロック装置を用いることができる。
【００１６】
【発明の効果】
本発明においては、上記の如く構成してあるから、アーチワイヤ等の歯列矯正用ワイヤを支持歯に固定した取付体に確実に固定できると共に取外すことも容易に行うことができるので、歯列矯正作業を極めて円滑に行うことが出来る。
【００１７】
而して、一個のロックバネ又はロック板で、アーチワイヤの両脚片を同時に取付体に固定するようにしたものであるから、繰り返し使用にも耐え得る十分な強度を有すると共に、矯正期間中にアーチワイヤが外れる惧れがなく、矯正治療を安心して行うことが出来る。
【００１８】
特に請求項１の如く構成したことにより、極めて簡単な装置でアーチワイヤを確実に固定することが出来る。また、請求項２の如く構成することにより、アーチワイヤのロック及びその解除を極めて容易に行うことが出来るため、矯正作業を一層円滑に行うことが出来る利点もある。
【図面の簡単な説明】
【図１】実施例１におけるロック装置の結合前の拡大平面図である。
【図２】ロック装置の結合状態を示す拡大平面図である。
【図３】  ロックした状態を示すＡ−Ａ線断面図である。
【図４】  ロックを解除した状態を示すＡ−Ａ線断面図である。
【図５】実施例２におけるロック装置の結合前の拡大平面図である。
【図６】ロック装置の結合状態を示す拡大平面図である。
【図７】  ロックした状態を示すＢ−Ｂ線断面図である。
【図８】  ロックを解除した状態を示すＢ−Ｂ線断面図である。
【符号の説明】
１０  アーチワイヤ
１１  脚片
１２  係止溝
１３  ロックバネ
１４  中央部
１５  係止部
１６  挟持片
２０  取付体
２１  チューブ
２３  貫通孔
２５  切欠溝
３０  取付体
３１  チューブ
３２  貫通孔
３３  切欠溝
４０  ロック板
４１  スライド部
４２  係止部
４３  係止部
４４  切欠溝部
【図１】
0004102094.tif 000002
【図２】
0004102094.tif 000003
【図３】
0004102094.tif 000004
【図４】
0004102094.tif 000005
【図５】
0004102094.tif 000006
【図６】
0004102094.tif 000007
【図７】
0004102094.tif 000008
【図８】
0004102094.tif 000009